(57)【要約】      （修正有）【課題】突出する調整具に人や服などが引っ掛かる等の問題を解決するとともに、椅子背面側に面するオプション部材のデザイン性を向上できる椅子を提供する。【解決手段】背凭れの背面側に取り付けられた上下端が開放された内周空間を備える支持部材２８にオプション部材１４が上下移動可能に支持されている椅子において、前記支持部材２８は前後方向に貫通する挿通部５０を備えるとともに、前記オプション部材１４には上下方向に複数個の掛止段部３７が形成されており、前記支持部材２８の挿通部５０にはオプション部材１４の高さを変更するための調整具３８が背凭れの背面側に操作部が位置するように挿通されるとともに、該調整具３８は付勢手段６０によって背凭れの背面側方向に付勢され前記複数個の掛止段部３７と掛止可能な掛止部３９が設けられている。【選択図】図１２
2014083126.tif 000002
【特許請求の範囲】
【請求項１】
背凭れの背面側に取り付けられた上下端の少なくとも一端が開放された内周空間を備える支持部材にオプション部材が上下移動可能に支持されている椅子において、
前記支持部材は前後方向に貫通する挿通部を備えるとともに、前記オプション部材には上下方向に複数個の掛止段部が背凭れの正面側を向くように形成されており、前記支持部材の挿通部にはオプション部材の高さを変更するための調整具が背凭れの背面側に操作部が位置するように挿通されるとともに、該調整具は付勢手段によって背凭れの背面側方向に付勢され前記複数個の掛止段部と掛止可能な掛止部が設けられていることを特徴とする椅子。
【請求項２】
前記オプション部材は、付勢手段によって背凭れの背面側方向に付勢された掛止部と前記掛止段部が掛合可能になっていることを特徴とする請求項１に記載の椅子。
【請求項３】
前記操作部から延設された操作杆が、前記オプション部材の掛止段部と掛合可能な掛止部として機能することを特徴とする請求項１または２に記載の椅子。
【請求項４】
前記操作部から延設された操作杆が、前記挿通部の内部に配置された付勢手段であるコイルバネに抗して移動可能となっていることを特徴とする請求項１ないし３のいずれかに記載の椅子。
【請求項５】
前記操作部から延設された操作杆が、前記オプション部材を挟んで背凭れの正面側に板バネ状に配置された付勢手段に抗して移動可能となっており、該板バネ状に配置された付勢手段が前記掛止部として機能することを特徴とする請求項１ないし３のいずれかに記載の椅子。
【発明の詳細な説明】
【技術分野】
【０００１】
本発明は、背凭れの背面側にハンガーやヘッドレスト等のオプション部材を取り付けている椅子に関する。
【背景技術】
【０００２】
近年、背凭れの背面側にハンガーやヘッドレスト等のオプション部材を取り付けて椅子の用途を拡張し、その利便性を向上させるようにした椅子が開発されている。このようなオプション部材は、椅子と別体に製造され、椅子の背凭れの背面側に固定されるのが一般的である。これらのオプション部材に関して、例えば、ハンガー機能を持つオプション部材として下記特許文献に開示されるものが公知である。
【先行技術文献】
【特許文献】
【０００３】
【特許文献１】特許第３８９０８５１号公報
【特許文献２】特開昭６２−２０３６４７号公報
【発明の概要】
【発明が解決しようとする課題】
【０００４】
これらの特許文献１、２に示された椅子にあっては、オプション部材としてのハンガー装置を高さ調整可能に取り付けることによって、着座者にとっての利便性の向上が図られている。すなわち、ハンガー装置のアジャストレバーを操作するだけでハンガーの高さを自由に変更できるようになっており、ハンガーにかける服の丈などに合わせて、または非利用時の収納時などに、任意の高さ位置でハンガーを固定することが可能である点で優れている。
【０００５】
しかしながら、特許文献１に示された椅子においては、コイルばねに抗して操作用のアジャストレバーを押すことによって、ラチェットレバーのラチェット歯と係止爪との係止を解き、任意の高さ位置にハンガーを移動させて固定するようになっているものの、ハンガー装置のアジャストレバーが椅子の背凭れの背面側に向いて配置されている。特にこれら構造によると、係止爪、ラチェットレバーのラチェット歯、コイルばね、そしてアジャストレバーがすべて椅子の背凭れの背面側に設けられている。このような構造は、特許文献２にも同様な構造が見受けられる。
【０００６】
そのため、係止爪、コイルばね、そしてアジャストレバーなどで構成される調整具が椅子背面側に大きく張り出すことになり、デザイン性に劣るばかりか、突出する調整具に人や服などが引っ掛かる等の問題があった。
【０００７】
本発明は、上記の問題に鑑み、突出する調整具に人や服などが引っ掛かる等の問題を解決するとともに、椅子背面側に面するオプション部材のデザイン性を向上できる椅子を提供することを目的とする。
【課題を解決するための手段】
【０００８】
前記課題を解決するために、本発明の椅子は、
背凭れの背面側に取り付けられた上下端の少なくとも一端が開放された内周空間を備える支持部材にオプション部材が上下移動可能に支持されている椅子において、
前記支持部材は前後方向に貫通する挿通部を備えるとともに、前記オプション部材には上下方向に複数個の掛止段部が背凭れの正面側を向くように形成されており、前記支持部材の挿通部にはオプション部材の高さを変更するための調整具が背凭れの背面側に操作部が位置するように挿通されるとともに、該調整具は付勢手段によって背凭れの背面側方向に付勢され前記複数個の掛止段部と掛止可能な掛止部が設けられていることを特徴としている。
この特徴によれば、操作部がオプション部材を挟んで背凭れの背面側方向に、そしてオプション部材の前記複数個の掛止段部と係止可能な掛止部がオプション部材を挟んで背凭れの正面側にそれぞれ配置されるため、背凭れの背面側に配置される調整具は操作部のみとなり調整具の露出部を最小化でき、人や服などが引っ掛かる等の問題が解消されることになる。また、調整具の露出部の最小化により、椅子背面側に面するオプション部材のデザイン性が向上する。
【０００９】
本発明の椅子は、
前記オプション部材は、付勢手段によって背凭れの背面側方向に付勢された掛止部と前記掛止段部が掛合可能になっていることを特徴としている。
この特徴によれば、複数個の掛止段部の全部または一部が背凭れの正面側に位置することになり、背凭れの背面側から前記オプション部材を見た場合、少なくとも正面側に位置する掛止段部が前記オプション部材の裏側に隠れることになるため、椅子背面側に面するオプション部材のデザイン性が向上することになる。
【００１０】
本発明の椅子は、
前記操作部から延設された操作杆が、前記オプション部材の掛止段部と掛合可能な掛止部として機能することを特徴としている。
この特徴によれば、操作部から延設された操作杆が、前記オプション部材の掛止段部と掛合可能な掛止部として機能するため、部品点数を低減できる。
【００１１】
本発明の椅子は、
前記操作部から延設された操作杆が、前記挿通部の内部に配置された付勢手段であるコイルバネに抗して移動可能となっていることを特徴としている。
この特徴によれば、調整具が配置される挿通部の内部の空間を利用して、付勢手段が支持部材の内側に配置されて隠れることになるため、椅子背面側に面するオプション部材のデザイン性が向上することになる。
【００１２】
本発明の椅子は、
前記操作部から延設された操作杆が、前記オプション部材を挟んで背凭れの正面側に板バネ状に配置された付勢手段に抗して移動可能となっており、該板バネ状に配置された付勢手段が前記掛止部として機能することを特徴としている。
この特徴によれば、板バネ状に配置された付勢手段が前記掛止部として機能するため、部品点数を低減できる。
【図面の簡単な説明】
【００１３】
【図１】実施例１における椅子を示す正面図である。
【図２】椅子を示す側面図である。
【図３】椅子を示す背面図である。
【図４】ハンガー装置を示す斜視図である。
【図５】ハンガー本体を示す正面図である。
【図６】ハンガー本体を示す背面図である。
【図７】ハンガー本体を示す上面図である。
【図８】（ａ）は、ハンガー部を示す側面図であり、（ｂ）は、同じく断面図である。
【図９】支持部材を示す正面図である。
【図１０】支持部材を示す背面図である。
【図１１】（ａ）は、調整具を示す背面図であり、（ｂ）は、同じく正面図であり、（ｃ）は、同じく側面図であり、（ｄ）は、同じく上面図である。
【図１２】（ａ）は、ハンガー装置の図４におけるＡ−Ａ断面を示す側断面図であり、（ｂ）は、同じくＢ−Ｂ断面を示す上断面図である。
【図１３】ハンガー本体の支持部材に対する移動態様を示す図である。
【図１４】ハンガー装置およびヘッドレスト装置の背凭れへの取り付けを説明する図である。
【図１５】ハンガー装置、ヘッドレスト装置および背凭れの重合段面を示す上断面図である。
【図１６】実施例２に係る支持部材を示す側断面図である。
【図１７】実施例３に係る支持部材を示す側断面図である。
【発明を実施するための形態】
【００１４】
本発明に係る椅子を実施するための形態を実施例に基づいて以下に説明する。
【実施例１】
【００１５】
実施例１に係る椅子につき、図１から図１５を参照して説明する。以下、図２及び図７、８、１２（ａ）、１５、１６の紙面左側を椅子の正面側（正面側方向）とし、図１２（ｂ）の紙面下側を椅子の正面側（正面側方向）として説明する。
【００１６】
図１の符号１は、本発明の適用された椅子である。この椅子１は、先端部にキャスタ２を備える放射状をなす５本の脚杆３を有する脚体４と、脚体４の中央に立設され、内部にガススプリング（図示略）が収容された伸縮式の脚柱５と、脚柱５の上端に後端部が固着された正面上方を向く支基６と、支基６の上方に支持された座７と、左右方向に延び前後方向に回動可能な軸８をもって支基６の左右両側にそれぞれ枢着され側面視で略Ｌ字状をなす背凭れ支持杆９と、背凭れ支持杆９の後端上部に支持された背凭れ１０と、座７の左右両側にそれぞれ上下方向に延設され下端が背凭れ支持杆９の左右にそれぞれ固着された肘掛支持柱１１と、肘掛支持柱１１の上端に固着された肘掛１２と、背凭れ１０の背面側上部に設けられたオプション部材としてのハンガー本体１４を有するハンガー装置１３とを備えている。
【００１７】
図１から図３に示すように、支基６は、前後方向に延びた箱状をなし、その内部には、座７を正面側方向に向かって常時付勢する公知の付勢手段、例えば特開２００５−２１１２４４号公報に記載れているような圧縮コイルバネと、この圧縮コイルバネの付勢力を調節する調節手段（いずれも図示略）とが収容されている。なお、これらの付勢手段や調節手段は、本発明に直接関係しないので、具体的な構成および詳細な説明は省略する。
【００１８】
また、座７は、上面視で枠状をなす座フレーム１５と、この座フレーム１５に取り付けられた合成樹脂製の座板（図示略）と、座板の上面および外周面を覆うように取り付けられたクッション材１６とからなる。
【００１９】
そして、座フレーム１５の前部および後部には、両側部が上向きに傾斜され、なおかつ中間部が座フレーム１５より下方に離間して左右方向に延びる横杆がそれぞれ固着されている。また、正面側の前部横杆１７の中間部は、支基６に設けられた圧縮コイルバネによって、正面側方向に付勢されている。また、背面側の後部横杆（図示略）の中間部は、背凭れ支持杆９の軸８よりやや背面側に設けられたブラケット（図示略）に回動可能に連結されており、背凭れ１０が背凭れ支持杆９とともに背面側方向に傾斜されると、座７の後部が背面側下方へ移動されるようになっている。この座７の後部の移動に伴って、前部横杆１７が圧縮コイルバネによる付勢力に抗して、背面側下方に摺動され、座７の前部も背面側下方に移動させられる。このようにすることで、圧縮コイルバネの付勢力よる背凭れ１０の正面側方向への復帰回動力と、座７の正面側上方への復帰力とが得られて、利用者着座者にとっての座り心地が向上する。
【００２０】
また、図２に示すように、背凭れ支持杆９は、前後方向に延設されるとともに後部側が上方に湾曲されている。この背凭れ支持杆９の前端部には、軸８が固着されるようになっている。そして、この軸８が支基６の上面における脚柱５よりもやや正面側に枢着されることで、背凭れ支持杆９が軸８を中心に上下方向に回動可能になっている。また、背凭れ支持杆９の後端部には、側面視で略倒立Ｌ字状をなす固定片（図示略）が取り付けられている。
【００２１】
図１に示すように、背凭れ１０は、前後方向に連通する開口面が下方に向けて漸次若干狭幅となる略方形枠状をなす硬質合成樹脂製の背凭れフレーム１８と、この背凭れフレーム１８の開口面の正面側に張設された張材１９とからなる。また、張材１９は、メッシュ材が方形に加工されて、上下左右に緊張された状態で開口面に張設されている。なお、張材１９は、メッシュ材以外の材質、例えば、織布、帆布等からなってもよい。
【００２２】
そして、背凭れフレーム１８は、図２に示すように、上下方向の中央よりやや下方の部分が正面側に突出するように緩やかに屈曲する左右一対の側枠杆２０、２０と、側枠杆２０、２０の上端部同士を連結するとともに、左右方向の中央部が背面側方向に突出するように緩やかに湾曲する上枠杆２１と、左右両側の枠杆２０、２０の下端部同士をほぼ直線状に連結する下枠杆２２とからなる。
【００２３】
また、下枠杆２２には、正面側に向けて延設された前向片（図示略）が一体的に成形されている。そして、この前向片が、背凭れ支持杆９の上面にネジ止めされて、なおかつ上述の背凭れ支持杆９の固定片が、下枠杆２２の下面にネジ止めされる。これにより、背凭れ支持杆９に、背凭れフレーム１８が強固に取り付けられる。
【００２４】
また、図１４に示すように、背凭れフレーム１８の上枠杆２１の背面側の中央部には、左右方向に延び略逆台形状をなし、後述するオプション部材の嵌合凸部２３が内側に嵌合される凹状の位置決め凹部２４（嵌合凹部５２）が形成されている。そして、この位置決め凹部２４の内面には、後述するハンガー装置１３やヘッドレスト装置２６の嵌合凸部２３と重なり合う重合面２７が形成されている。さらに、この重合面２７には、上枠杆２１の内部に連通する連通孔２５が左右に２つずつ形成されている。
【００２５】
次に、本発明に係るオプション部材としてのハンガー本体１４を備えるハンガー装置１３について説明する。図４に示すように、ハンガー装置１３は、椅子１の背面側に配置され衣服等が掛けられるハンガー本体１４と、ハンガー本体１４を支持し椅子１の背面側に取り付けられる支持部材２８とからなる。これらのハンガー本体１４と支持部材２８とは、合成樹脂材、例えば、ポリスチレンやポリプロピレン、アクリロニトリル−ブタジエン−スチレン樹脂等の加工材からなる。
【００２６】
図５および図６に示すように、正面視および背面視で、ハンガー本体１４は、背広等が掛けられる程度の長さに左右方向に延設されたハンガー部６６と、このハンガー部６６の中央部から下方に延設された取付部３１とを備えている。
【００２７】
そして、ハンガー部６６は、上方を向く板状をなしており、正面視および背面視で、左右方向の両端部が下方に湾曲されているとともに、全体として上に凸となる湾曲形状の反りを有している。さらに、図８に示すように、ハンガー部６６は、前後方向の側面視において、前方の端部側が下方に屈曲する反り部６７を有しするとともに、全体形状として上方が凸となる湾曲形状の反りを有する板状体となっており、板状体の上面は、ハンガー部６６に掛けられる衣服の形状に合わるようにラウンド状になっている（図１４参照）。
【００２８】
また、図８に示すように、この板状体の前端部側と後端部側には、上方に凸となる板状体全体としての湾曲形状を構成する曲率よりも大きい曲率で湾曲された湾曲部６８が形成されている。この湾曲部６８は、ハンガー部６６の外周全周にわたって形成されている。
【００２９】
なお、上述のように板状体に下方に屈曲する反り部６７が設けられていることで、ハンガー部６６の左右両端部付近の前後方向の断面は略倒立Ｌ字状をなすようになっており、ハンガー部６６は、上下方向や左右方向の耐荷重性が向上されている。
【００３０】
また、ハンガー部６６の前後方向および左右方向の中央部には、ハンガー部６６をなす板状体の上下方向に連通し左右方向に延設されたスリット状の開口部６９設けられている。この開口部６９は、図７に示すように、上面視で、左右両端部が正面側方向に向く湾曲形状に形成されている。そして、図８に示すように、この開口部６９の内周側は、板状体全体としての湾曲形状を構成する曲率よりも大きい曲率で湾曲された湾曲部６８’が設けられている。このように開口部６９を形成することで、開口部６９をネクタイやストール、ショールなどを掛ける部位として利用できるとともに、ネクタイ等がハンガー部６６の角に引っ掛かったり擦れたりして、傷むことが防止される。
【００３１】
なお、上述の曲率は、全体としてまたは複数の湾曲の平均としての曲率を示すものであって、板状体やその端部が複数の湾曲を有して反っている場合は、その複数の湾曲からなる板状体全体または端部全体としての曲率に示す。
【００３２】
一方、取付部３１は、図８に示すように、ハンガー部６６における中央部に形成された開口部６９の正面側に残る板状体のみから下方に延びている。なお、図５に示すように、開口部６９の正面側の中央部が、後述する取付部３１の方向に凸状をなすように延設されており、ハンガー部６６と取付部３１とが略Ｙ字状に接続されるようになっている。このようにハンガー部６６と取付部３１とを連続的に一体に形成することで、椅子１が手等で持って引かれる場合にハンガー本体１４が取手として扱われ、ハンガー部６６の片側に偏荷重が加えられるようなことがあっても、取付部３１側に荷重が分散されやすくなるので、ハンガー本体１４が変形したり、破損したりする危険性が低減される。
【００３３】
そして、取付部３１は、図５および図１２（ｂ）に示すように、上断面視で内面が正面側を向く略Ｕ字状をなしているとともに、幅方向の中央に前後方向に貫通し上下方向に延設された支持溝３６を有している。また、この支持溝３６を挟む両側には、所定間隔で所定の高さ突出された掛止段部３７が上下方向に複数個設けられ、掛止段部３７は、後述する調整具３８の掛止部３９の上面に係止されうるようになっている。そして、この掛止段部３７同士の間には、左右方向に延設された横長溝４０が設けられており、調整具３８の掛止部３９が前後方向に移動可能になっている。
【００３４】
このように、取付部３１の正面側に掛止段部３７と横長溝４０とを設けることで、図６に示すように、ハンガー装置１３の背面側から掛止段部３７と横長溝４０とを視認できなくなり、ハンガー装置１３のデザイン性を著しく向上できる。
【００３５】
また、支持溝３６の下端部近傍には左右方向に延びるスリット状の挿入孔４１が設けられており、後述するように、ハンガー本体１４を支持部材２８に装着させる際に、掛止部３９を有する調整具３８を挿入できるようになっている。
【００３６】
次に、図９、図１０及び図１２に基づきハンガー装置１３の支持部材２８について説明する。この支持部材２８は、上下端が開放された内周空間を備えた筒状部４２と、この筒状部４２の上端部から正面側方向に向けて連続的に延設された連設部４３と、この連設部４３の上端に連続的に延設されて前後方向を向く板状をなす重合部４５を有する。
【００３７】
図９に示すように、筒状部４２は、その正面側の中央より若干下方に、内周空間へ貫通する抜止孔４４が設けられており、この抜止孔４４の内周面には、後述する抜止ボルト４６に対応するネジ山が切られており、抜止ボルト４６が係止されうるようになっている。なお、本実施例では、抜止ボルト４６を支持部材２８に係止しているが、ハンガー本体１４において支持溝３６よりも下方で、なおかつハンガー本体１４を支持部材２８に対して最上方に移動させたときに抜止ボルト４６が支持部材２８に当接するような位置に、抜止ボルト４６を設けるようにしてもよい。
【００３８】
また、抜止孔４４の上方には、上下方向に延びるスリット状の止着孔４７が形成されており、後述する調整具３８の先端が止着されるようになっている。
【００３９】
また、図１０に示すように、筒状部４２の背面側には、正面側に設けられた止着孔４７に対向する位置に、前後方向に穿設された大径の大径孔４８が設けられているとともに、大径孔４８の内部には、大径孔４８よりも内径が小さく内周空間に連通する小径孔４９が設けられている。これらの小径孔４９と大径孔４８により筒状部４２の背面側から内周空間に貫通する挿通部５０が形成される。また、この挿通部５０には、後述する調整具３８を筒状部４２の背面の外周側から挿入できるようになっている。
【００４０】
また、筒状部４２の背面側の上端には、緩やかに湾曲する凹状をなす窪部５１が設けられている（図１２（ａ）参照）。この窪部５１は、筒状部４２の内壁面より若干外側に形成されており、後述するように利用者が支持部材２８に対してハンガー本体１４の高さ位置を調整する際に、利用者が指を掛けておくことができ、ハンガー本体１４と支持部材２８との間に、利用者の指が挟まれることが防止される。
【００４１】
また、図１２に示すように、筒状部４２の内周空間は、前述のハンガー本体１４の取付部３１の外周に対応する形状となっており、内周空間の背面側の壁面に取付部３１の背面側の外周面が摺接しつつ、取付部３１が支持部材２８に対して上下方向に移動可能になっている。
【００４２】
図９に示すように、筒状部４２の上端から正面側上方に向けて連続的に延設された重合部４５は、前後方向を向く板状をなしており、その正面側には、図１４に示す背凭れ１０の位置決め凹部２４に内嵌されうるように、左右方向に延びる略逆台形状をなすとともに、重合部４５の正面側方向に突出する嵌合凸部２３が形成されている。また、この嵌合凸部２３の内面には、背凭れ１０の連通孔２５に対応する位置に、重合部４５の背面側に貫通する連通孔２５’が左右に２つずつ形成されている。
【００４３】
一方、図１０に示すように、重合部４５の背面側には、正面側から貫通される連通孔２５’を囲うように、背凭れ１０の位置決め凹部２４（嵌合凹部５２）と同一形状の嵌合凹部５２’が形成されている。
【００４４】
次に本発明に係る調整具３８について図１１に基づき説明する。調整具３８は、背面視で上述の大径孔４８の内径よりも若干小さい外径を有す円形状をなす操作部としての鍔部５３と、この鍔部５３の正面側の中央部から垂直方向に延設された操作杆５４を備えている。
【００４５】
また、鍔部５３の背面側には、前述のハンガー本体１４の移動方向を示す刻印矢印５５が刻印されている。そして、鍔部５３の正面側の操作杆５４の先端には、二又状に正面側方向に突設され先端部に返片５６が形成された止着部５７が設けられている。この止着部５７は、図１２に示すように、調整具３８が支持部材２８の挿通部５０に挿入されて、付勢手段としてのコイルバネ６０により調整具３８が背面方向に付勢された状態で、支持部材２８の止着孔４７に挿入されるようになっている。
【００４６】
さらに、操作杆５４は、その左右の側面にそれぞれ左右方向に突出された掛止部３９が設けられている。この掛止部３９は、図１２に示すように、調整具３８が支持部材２８の挿通部５０に挿入されて、付勢手段としてのコイルバネ６０により調整具３８が背面方向に付勢された状態で、掛止部３９の上面にハンガー本体１４の掛止段部３７が掛合されるように配置され、なおかつ、調整具３８が背面側から利用者等により押圧されて掛止部３９が正面側に移動された状態で、掛止部３９と掛止段部３７との掛合が解かれるように配置されている。
【００４７】
また、調整具３８は、正面視で略十字形状をなし、この略十字部分の上下及び左右の幅は上述の小径孔４９よりも小さくなっており、調整具３８の先端から鍔部５３の正面側方向までの部分は、小径孔４９を通過できるようになっている。
【００４８】
さらに、調整具３８の操作杆５４の左右幅は、上述のハンガー本体１４の支持溝３６を通過可能な幅となっている。一方で、掛止部３９、３９の左右幅は、ハンガー本体１４の挿入孔４１を通過可能な幅で、なおかつ支持溝３６を通過不可能な幅となっている。また、止着部５７の返片５６は、正面側方向側が支持部材２８の止着孔４７よりやや狭くなっている一方で、返片５６の後方側は止着孔４７よりも幅広に形成されている。
【００４９】
次に、前述したハンガー本体１４を支持部材２８に装着して、ハンガー装置１３を図４や図１２に示す状態とする手順について説明する。前述したハンガー本体１４を支持部材２８に装着する際は、ハンガー本体１４の取付部３１を支持部材２８の上方から内周空間に挿入して、取付部３１の挿入孔４１と支持部材２８の挿通部５０とが重なる位置に合わせる。そして、前後方向に延設された付勢手段としてのコイルバネ６０を大径孔４８に挿入したうえで、調整具３８を支持部材２８の外周側から挿通部５０に挿入する。さらに、調整具３８の先端の止着部５７が内周空間を貫通させて、支持部材２８の正面側の止着孔４７に挿入されるように押し込む。
【００５０】
このように調整具３８の先端が止着孔４７に押し込まれる際に、調整具３８の二又状の先端が内方に撓むことで、止着部５７が止着孔４７に挿入可能となる。そして、挿入された後には、二又状の先端が元の幅に復元されて返片５６が止着孔４７に引っ掛かることで、調整具３８は、コイルバネ６０により背面側方向に付勢される一方で、挿通部５０から抜けることが防止される。さらに、コイルバネ６０は、その一端が大径孔４８の内壁に当接されるとともに、他端が鍔部５３の正面に当接され、収縮された状態で大径孔４８に縮設されるので、調整具３８が背面側方向に付勢された状態となる。
【００５１】
さらに、鍔部５３の背面側を指等で正面側方向に押圧しながら、ハンガー本体１４を支持部材２８に対して下方に適宜移動させた後、押圧を解除し、支持部材２８の正面側の抜止孔４４に抜止ボルト４６を取り付ける。この抜止ボルト４６は、支持部材２８の内周空間にその先端部が突出された状態となる（図１２参照）。以上により、ハンガー本体１４の支持部材２８への装着が完了する。
【００５２】
これにより、調整具３８が挿通部５０から抜けた状態で、ハンガー本体１４が最上方まで引っ張られると、抜止ボルト４６が取付部３１の下端部に接触するので、ハンガー本体１４が支持部材２８から抜き出されることが防止される。
【００５３】
このようにハンガー本体１４を支持部材２８に挿入して、調整具３８を取り付けることで、鍔部５３を指等で押圧していない通常の使用状態においては、調整具３８がコイルバネ６０により背面側方向に付勢されて、操作杆５４の掛止部３９の後端面がハンガー本体１４の取付部３１の正面に圧接される。そして、ハンガー本体１４を後方へ押し付ける力が働き、ハンガー本体１４の背面は、均一に支持部材２８の内壁の背面側に圧接される。
【００５４】
また、ハンガー本体１４の高さ調整について図１２および図１３に基づいて説明する。図１２に示すように、調整具３８の鍔部５３が利用者により押圧されることで、ハンガー本体１４の横長溝４０内に位置していた調整具３８の掛止部３９が正面側方向に移動されて、係止部３９とハンガー本体１４の掛止段部３７との掛合が解かれ、ハンガー本体１４は支持部材２８に対して上下方向に移動可能な状態となる。
【００５５】
そして、図１３に示すように、ハンガー本体１４を支持部材２８に対して上下方向に摺動させて、ハンガー本体１４が利用者の所望の位置に達した状態で、調整具３８の押圧を解くと、ハンガー本体１４が支持部材２８に対して移動不可能となり、利用者の所望の位置に安定的に固定される。
【００５６】
次に、本発明に係るオプション部材としてのハンガー本体１４を備えるハンガー装置１３を椅子１の背凭れ１０に取り付ける方法について説明する。なお、本実施例では、ハンガー装置１３とヘッドレスト装置２６とを背凭れ１０に取り付ける方法を示すが、ハンガー装置１３のみを取り付けることもできる（図３参照）。
【００５７】
図１４に示すように、ヘッドレスト装置２６は、背凭れ１０に取り付けられ前後方向を向く板状の取付部６１と、取付部６１から上方に延設されたヘッドレスト本体５９とを備えている。また、この取付部６１は、その正面側には、支持部材２８の重合部４５と同様に正面側方向に突出する嵌合凸部２３’が形成されている一方で、その背面側には、背凭れ１０の位置決め凹部２４と同一形状の嵌合凹部５２’’が形成されている。
【００５８】
さらに、これらの嵌合凸部２３’および嵌合凹部５２’’の内面には、背凭れ１０の連通孔２５に対応する位置に、正面側から背面側に貫通する連通孔２５’’が設けられているとともに、他の部材の嵌合凸部や嵌合凹部と重なり合う重合面２７’’’が設けられている。
【００５９】
このヘッドレスト装置２６の嵌合凸部２３’は、背凭れ１０の背面の位置決め凹部２４（嵌合凹部）に内嵌される（図１５参照）。さらに、ヘッドレスト装置２６の嵌合凹部５２’’には、ハンガー装置１３の支持部材２８に設けられた嵌合凸部２３が内嵌される。
【００６０】
さらに、ハンガー装置１３の嵌合凹部５２’の４つの連通孔２５’のそれぞれに、ハンガー装置１３の背面側から背凭れ１０の内部に達する長さの締結部材６２を挿入し、背凭れ１０の雌ネジ部としてのナット５８に締結部材６２を嵌合させる。これにより、重合された複数のオプション部材同士の重合面同士が連結され、相互に脱落不能となる。
【００６１】
その後、ハンガー装置１３に嵌合凹部５２’を塞ぐカバーとしての装飾キャップ６３を取り付ける。
【００６２】
以上により、図１５に示す重合連結手段を利用することで、複数のオプション部材が椅子１の前後方向に重合され、相互に脱落不能とされた状態で背凭れ１０に支持させることができる。
【００６３】
これにより、鍔部５３がハンガー本体１４（オプション部材）を挟んで背凭れ１０の背面側に、そしてハンガー本体１４の複数個の掛止段部３７と係止可能な掛止部３９がハンガー本体１４を挟んで背凭れ１０の正面側にそれぞれ配置されるため、背凭れ１０の背面側に配置される調整具３８（調整具）は鍔部５３のみとなり調整具３８の露出部を最小化でき、人や服などが引っ掛かる等の問題が解消されることになる。また、調整具３８の露出部の最小化により、椅子背面側に面するハンガー本体１４のデザイン性が向上する。
【００６４】
また、複数個の掛止段部３７の全部または一部が背凭れ１０の正面側に位置することになり、背凭れ１０の背面側からハンガー本体１４を見た場合、少なくとも正面側に位置する掛止段部３７がハンガー本体１４の裏側に隠れることになるため、椅子背面側に面するハンガー本体１４のデザイン性が向上することになる。
【００６５】
また、鍔部５３（操作部）から延設された操作杆５４が、ハンガー本体１４（オプション部材）の掛止段部３７と係合可能な掛止部３９として機能するため、部品点数を低減できる。
【００６６】
また、鍔部５３（操作部）から延設された操作杆５４が、挿通部５０の内部に配置された付勢手段であるコイルバネ６０に抗して移動可能となっているので、調整具３８が配置される挿通部５０の内部の空間を利用して、付勢手段としてのコイルバネ６０が支持部材２８の内側に配置されて隠れることになるため、椅子背面側に面するオプション部材のデザイン性が向上することになる。
【００６７】
また、調整具３８をコイルバネ６０により前後方向に付勢することで、調整具３８をハンガー本体１４の正面側に圧接して、ハンガー本体１４を後方に付勢し支持部材２８の背面側の内壁面に圧接させているので、ハンガー本体１４が支持部材２８に安定的に支持されるようになる。また、調整具３８とコイルバネ６０とを挿通部５０に挿入するのでのみで付勢がなされるので、ハンガー装置１３の組立を容易にできる。
【実施例２】
【００６８】
次に、実施例２に係る椅子につき、図１６を参照して説明する。尚、前記実施例と同一構成で重複する説明を省略する。
【００６９】
図１６に示すように、本実施例２における支持部材２８’は、筒状部４２の正面側の中央に、上端部が遊端となり下端が筒状部４２の正面壁と連続する板バネ６４が形成されている。また、板バネ６４の中央付近には調整具３８の先端を止着しうる止着部（図示略）が設けられている。この板バネ６４は、自然状態では、支持部材２８の正面側の壁面に沿った形状となっており、止着された調整具３８はその鍔部５３の背面と支持部材２８’の背面側の壁面とが一致するようになっている。なお、前記実施例では、挿通部５０にコイルバネ６０とともに調整具３８を挿入していたが、本実施例２では、コイルバネ６０は不要となっている。
【００７０】
そして、前述の実施例１のように、ハンガー本体１４の高さ位置調整がなされる際には、調整具３８の鍔部５３が背面側から正面側方向に押圧される。すると、調整具３８の先端で板バネ６４が押圧されて、板バネ６４の基端部が正面側方向に撓み、調整具３８が正面側方向に移動する。これにより、調整具３８の係止部３９とハンガー本体１４の掛止段部３７との掛止が解かれて、ハンガー本体１４が支持部材２８に対して上下方向に移動可能になる。
【００７１】
さらに、鍔部５３の押圧が解除されると、板バネ６４の復元力で調整具３８が背面側方向に移動されて、掛止部３９により掛止段部３７が掛合されるので、ハンガー本体１４が支持部材２８に対して固定される。
【００７２】
これにより、鍔部５３から延設された操作杆５４が、ハンガー本体１４（オプション部材）を挟んで背凭れ１０の正面側に配置された板バネに抗して移動可能となっており、該板バネが付勢手段として機能するため、部品点数を低減できる。
【実施例３】
【００７３】
次に、実施例３に係る椅子につき、図１７を参照して説明する。尚、前記実施例と同一構成で重複する説明を省略する。
【００７４】
図１７に示すように、本実施例３における支持部材２８’’は、筒状部４２の正面側の中央に、上端部が遊端となり下端が筒状部４２の正面壁と連続する板バネ６４’が形成されている。さらに、板バネ６４’の遊端側は斜上背面方向に延設されており、その先端には断面視で略方形の支持段部６５が設けられている。また、板バネ６４’の中央付近には調整具３８の先端を止着しうる止着部（図示略）が設けられている。
【００７５】
この板バネ６４’は、自然状態では、支持部材２８’’の正面側の壁面に沿った形状となっており、止着された調整具３８はその鍔部５３の背面と支持部材２８’’の背面側の壁面とが一致するようになっている。さらに、板バネ６４’が自然状態において、板バネ６４’の先端に連設された支持段部６５の上面がハンガー本体１４の掛止段部３７の下面を掛合して、ハンガー本体１４が支持されるようになっている。なお、前記実施例１では、挿通部５０にコイルバネ６０とともに調整具３８を挿入していたが、本実施例３では、コイルバネ６０は不要となっている。
【００７６】
そして、前述の実施例のように、ハンガー本体１４の高さ位置調整がなされる際には、調整具３８の鍔部５３が背面側から正面方向に押圧される。すると、調整具３８の先端で板バネ６４’が押圧されて、板バネ６４’の基端部が正面側方向に撓み、調整具３８が正面側方向に移動する。これにより、調整具３８の掛止部３９とハンガー本体１４の掛止段部３７との掛合が解かれるとともに、支持段部６５も正面側方向に移動して、支持段部６５と掛止段部３７との掛合が解かれ、ハンガー本体１４が支持部材２８’’に対して上下方向に移動可能になる。
【００７７】
さらに、鍔部５３の押圧が解除されると、板バネ６４’の復元力で調整具３８が後方に移動されて、支持段部６５により掛止段部３７が掛合されるので、ハンガー本体１４が支持部材２８’’に対して固定される。
【００７８】
これにより、鍔部５３から延設された操作杆５４が、ハンガー本体１４（オプション部材）を挟んで背凭れ１０の正面側に板バネ状に配置された付勢手段に抗して移動可能となっており、該板バネ状に配置された付勢手段が掛止部３９として機能するため、部品点数を低減できる。
【００７９】
以上、本発明の実施例を図面により説明してきたが、具体的な構成はこれら実施例に限られるものではなく、本発明の要旨を逸脱しない範囲における変更や追加があっても本発明に含まれる。
【００８０】
例えば、前記実施例での支持部材２８は、上述のハンガー本体１４を支持しつつ、背凭れ１０に取り付けられようになっているが、支持部材２８が、ハンガー本体１４に限らずヘッドレスト本体等の他のオプション部材を支持しつつ、背凭れ１０に取り付けられようにされるようにしてもよい。
【００８１】
また、前記実施例では、椅子１の背凭れ１０は、背凭れフレームにメッシュ状の張材を張設して構成され、背凭れフレームの上方部に固定部２４が設けられているが、板状に形成された板部材の周囲をクッション材で覆ってさらにその外周に張材を張設したものを背凭れとして構成し、背面側の張材の外周面に固定部２４を設けるようにしてもよく、貫通ボルト６２がクッション材および張材を貫通して板部材に設けられたナットに締結されることで、ハンガー装置１３の支持部４５等が固定されるようにしてもよい。
【００８２】
また、前記実施例では、ハンガー装置１３の支持部材２８は、上下端が開放された内周空間を備えているが、ハンガー本体１４の取付部３１のほとんどが覆われるように内周空間を上下方向に延設するとともに下端を閉塞し、上端のみを開放するようにしてもよい。また、内周空間を上下方向に延設しつつ上端を閉塞し、下端のみを開放するとともに、ハンガー部６６が取付部３１の下方側と連続するようにしてハンガー本体を形成するようにしてもよい。このように、ハンガー装置１３の可動部分に関する開口を削減すことで、ハンガー部６６に掛けられた衣類やネクタイ等が、開口とハンガー本体１４との隙間に引っ掛かったり、ハンガー本体１４の上下移動の際に内周空間に巻き込まれたりする危険性を低減することができる。
【００８３】
また、前記実施例では、調整具３８の操作杆５４を前後方向に延設された略棒状に形成するとともに該操作杆５４をハンガー本体１４の前後方向に貫通する支持溝３６に挿通しているが、例えば、操作杆を環状に形成するとともにハンガー本体を前後方向に閉塞してもよく、この環状の操作杆の正面側から該ハンガー本体の掛止部を延設するようにしてもよい。また、操作杆をフック状に形成して、一端に鍔部を設けるとともに他端に掛止部を設けるようにしてもよい。
【００８４】
また、前記実施例では、重合面が略台形状に形成されているが、背凭れ１０およびオプション部材に共通した形状で形成される限り、重合面は略台形状に限らず長方形や楕円形、さらには複数の方形等に形成されもよい。
【００８５】
また、前記実施例では、背凭れ１０、ヘッドレスト装置２６、ハンガー装置１３、カバー６３の順で重合されているが、最前端が背凭れ１０であり、最後端がカバー６３であれば、それらの間に重合されるオプション部材の順序は適宜変更されてもよい。
【００８６】
また、前記実施例では、背凭れ１０に凹状の嵌合凹部５２を設けているが、背凭れ１０に凸状の嵌合凸部を設けるとともに、他のオプション部材の正面側に嵌合凹部を設け、背面側に嵌合凸部を設けるようにしてもよい。
【符号の説明】
【００８７】
１                椅子
７                座
１０              背凭れ
１３              ハンガー装置
１４              ハンガー本体（オプション部材）
１８              背凭れフレーム
２３，２３’      嵌合凸部
２４              位置決め凹部（嵌合凹部）
２５，２５’      連通孔，
２５’’           連通孔
２６              ヘッドレスト装置
２７              重合面
２８              支持部材
３１              取付部
３６              支持溝
３７              掛止段部
３８              調整具
３９              掛止部
４１              挿入孔
４２              筒状部
４４              抜止孔
４５              重合部
５０              挿通部
５２，５２’      嵌合凹部
５２’’           嵌合凹部
５３              鍔部（操作部）
５４              操作杆
６０              コイルバネ（付勢手段）
６４，６４’      板バネ（付勢手段）
６５              支持段部
６６              ハンガー部
６７              反り部
６８              湾曲部
６９              開口部
【図１】
2014083126.tif 000003
【図２】
2014083126.tif 000004
【図３】
2014083126.tif 000005
【図４】
2014083126.tif 000006
【図５】
2014083126.tif 000007
【図６】
2014083126.tif 000008
【図７】
2014083126.tif 000009
【図８】
2014083126.tif 000010
【図９】
2014083126.tif 000011
【図１０】
2014083126.tif 000012
【図１１】
2014083126.tif 000013
【図１２】
2014083126.tif 000014
【図１３】
2014083126.tif 000015
【図１４】
2014083126.tif 000016
【図１５】
2014083126.tif 000017
【図１６】
2014083126.tif 000018
【図１７】
2014083126.tif 000019